(57)【要約】      （修正有）【課題】空容器本体受け手側でのキャップ取外し作業の簡単化を図りつつ、空容器搬送における容器本体の内部および首状円筒部の外周面ネジ部それぞれの十分な保護化を図る仮キャップを提供する。【解決手段】容器の空搬送のとき、鞘状のネジキャップ３に代えて、容器本体１の内容物出し入れ用の首状円筒部１ａへ螺合作用なしで取り付けられる仮キャップ２であって、首状円筒部１ａの開口部分１ｂを塞いで保護する天井部２ａと、首状円筒部１ａの外周面ネジ部１ｃを保護する円筒状部２ｂと、外周面ネジ部１ｃと係止して上方向に取外し可能な形で保持される被係止部２ｃと、仮キャップ取外し操作用の舌状摘み部２ｄとを備えている。【選択図】図３
0003200427.tif 000002
【実用新案登録請求の範囲】
【請求項１】
容器本体に形成された内容物出し入れ用の首状円筒部の外周面ネジ部へ、そのネジキャップの代わりに取り付けられる仮キャップにおいて、
前記首状円筒部の開口部分をカバーする天井部と、
前記天井部から下方にネジ結合部なしの状態で連続して前記外周面ネジ部を保護する筒状部と、
前記筒状部の内周面側に形成されて、前記外周面ネジ部との係止作用により、上方向に取外し可能な形で保持される被係止部と、を備えた、
ことを特徴とする内容物出し入れ用の首状円筒部の仮キャップ。
【請求項２】
前記被係止部は、
前記外周面ネジ部に対応した形状の環状部からなる、
ことを特徴とする請求項１記載の内容物出し入れ用の首状円筒部の仮キャップ
【請求項３】
前記天井部または前記筒状部は、
その外側向きに、キャップ取外し用の摘み部が形成されている、
ことを特徴とする請求項１または２記載の内容物出し入れ用の首状円筒部の仮キャップ。
【請求項４】
請求項１乃至３のいずれかに記載の仮キャップが前記内容物出し入れ用の首状円筒部に取り付けられている、
ことを特徴とする容器。
【考案の詳細な説明】
【技術分野】
【０００１】
本考案は、内容物未収容の空容器本体を例えばその生産会社（製造業者）から内容物充填会社へ搬送するに際し、容器本体の内容物出し入れ用の首状円筒部に形成された外周面ネジ部に、本来のネジキャップに代えて取り付けられる仮キャップに関する。
【０００２】
以下の明細書などでは必要に応じて、容器本体の内容物出し入れ用の首状円筒部を単に「首状円筒部」という。
【０００３】
本考案の仮キャップは、それ自体の取外し作業が簡単な鞘形状のもので、首状円筒部の開口部分を塞いでその内部を保護し、かつ、首状円筒部の外周面ネジ部をカバーして保護する機能を備えている。
【０００４】
また、本考案の仮キャップの使用対象は外周面ネジ部を備えた容器本体首状円筒部であり、それがタンパーエビデント仕様のものであるかどうかは問わない。
【背景技術】
【０００５】
従来、容器本体の内容物出し入れ用の首状円筒部に形成された外周面ネジ部にネジキャップを螺合させる形の容器が広く使用されている（特許文献１参照）。
【０００６】
このような螺合タイプ容器の容器本体を内容物未収容の空状態で搬送するとき、首状円筒部の外周面ネジ部へのネジキャップ螺合なしで、当該首状円筒部に中蓋を取り付け、これにより搬送途中での容器本体内部の汚れや破損などが生じないようにしている。
【０００７】
この空容器本体搬送のときに、ネジキャップを首状円筒部に螺合させないのは、空容器本体受け手側でのネジキャップの螺合解除作業が大変だからである。
【０００８】
また、ネジキャップと首状円筒部とが不完全な螺合状態で搬送する場合も、その途中の振動や回動などの作用を受けて強い螺合状態にシフトしやすく、やはり空容器本体受け手側でのネジキャップの螺合解除作業が手間となる。
【先行技術文献】
【特許文献】
【０００９】
【特許文献１】実開昭６２−１７９９４６号公報
【考案の概要】
【考案が解決しようとする課題】
【００１０】
このように、従来の容器本体の空搬送にともなう保護態様は、その内容物出し入れ用の首状円筒部に中蓋を取り付けることであった。
【００１１】
この中蓋による保護対象はもっぱら容器本体の内部であり、搬送途中における当該内部への異物混入や傷つきなどを防止している。
【００１２】
すなわち首状円筒部の外周面ネジ部はいわば露出した状態での空搬送となり、当該外周面ネジ部が傷ついてしまい、内容物収容後の容器本体の首状円筒部と本来のネジキャップとの間の十分な螺合状態が確保されない／確保されにくいという問題点があった。
【００１３】
そこで、本考案では、容器本体の空搬送のときに用いられる仮キャップとして、容器本体の首状円筒部の外周面ネジ部に螺合なしの係合状態で保持される鞘形状のキャップを用いる。
【００１４】
本考案は、上述の螺合機能なしの鞘形状からなる仮キャップの使用により、空容器本体受け手側でのキャップ取外し作業の簡単化を図りつつ、空容器搬送における容器本体の内部および首状円筒部の外周面ネジ部それぞれの十分な保護化を図ることを目的とする。
【００１５】
また、仮キャップに、その取外し用摘み部をキャップ外側向きに形成して、空容器本体受け手側のキャップ取外し作業の一層の簡便化を図ることを目的とする。
【課題を解決するための手段】
【００１６】
本考案は、この課題を次のようにして解決する。
（１）容器本体（例えば後述の容器本体１）に形成された内容物出し入れ用の首状円筒部（例えば後述の首状円筒部１ａ）の外周面ネジ部（例えば後述の外周面ネジ部１ｃ）へ、そのネジキャップ（例えば後述のネジキャップ３）の代わりに取り付けられる仮キャップ（例えば後述の仮キャップ２）において、
前記首状円筒部の開口部分をカバーする天井部（例えば後述の天井部２ａ）と、
前記天井部から下方にネジ結合部なしの状態で連続して前記外周面ネジ部を保護する筒状部（例えば後述の円筒状部２ｂ）と、
前記筒状部の内周面側に形成されて、前記外周面ネジ部との係止作用により、上方向に取り外し可能な形で保持される被係止部（例えば後述の被係止部２ｃ）と、を備えた、
構成態様のものを用いる。
（２）上記（１）において、
前記被係止部は、
前記外周面ネジ部に対応した形状の環状部からなる、
構成態様のものを用いる。
（３）上記（１），（２）において、
前記天井部または前記筒状部は、
その外側向きに、キャップ取外し用の摘み部（例えば後述の舌状摘み部２ｄ）が形成されている、
構成態様のものを用いる。
（４）上記（１），（２），（３）の仮キャップが、前記内容物出し入れ用の首状円筒部に取り付けられた、
構成態様の容器を用いる。
【考案の効果】
【００１７】
本考案は、上述の仮キャップの使用により、
(11)空容器本体受け手側でのキャップ取外し作業の簡単化を図りつつ、空容器搬送における容器本体の内部および首状円筒部の外周面ネジ部それぞれの十分な保護化を図る、
(12)空容器本体受け手側のキャップ取外し作業の一層の簡便化を図る、
ことができる。
【００１８】
また、タンパーエビデント機能を備えたネジキャップの場合、これが外周面ネジ部に略完全螺合された空容器を搬送し、受け手側でこれを取り外すときに下端側リング状部分が分離してネジキャップ自体の再利用ができなくなる、といったことを防止できる。
【００１９】
すなわち、空容器の受け手側が、内容物を容器本体に収容してその販売業者などへ別途搬送するに際して、下端側リング状部分が分離していない（空容器搬送時のネジキャップとは別の）新たなネジキャップを用いるといった無駄を省くことができる。
【図面の簡単な説明】
【００２０】
【図１】空容器本体の搬送において用いられる仮キャップの斜視状態を示す説明図である。
【図２】容器本体の内容物出し入れ用の首状円筒部に仮キャップを取り付けた斜視状態を示す説明図である。
【図３】空容器の受け手側で、仮キャップが容器本体の首状円筒部から取り外され、その後、タンパーエビデント機能を備えたネジキャップが当該首状円筒部に取り付けられることを示す説明図である。
【考案を実施するための形態】
【００２１】
図１〜図３を用いて本考案の実施形態を説明する。
上述したように、タンパーエビデント仕様の首状円筒部およびタンパーエビデント仕様ではない首状円筒部のいずれも、本考案の仮キャップの使用対象であるが、以下の記載では単なる説明の便宜上、タンパーエビデント仕様の首状円筒部を前提とする。
【００２２】
図１〜図３のアルファベット付き参照番号の構成要素（例えば内容物出し入れ用の首状円筒部１ａ）は原則として当該参照番号の数字部分の構成要素（例えば容器本体１）の一部である、ことを示している。
【００２３】
図１〜図３において、
１は内容物が収容される容器本体，
１ａは容器本体１の上端側に形成された内容物出し入れ用の首状円筒部（開口部分１ｂ＋外周面ネジ部１ｃ＋外側係止凸部１ｄ），
１ｂは首状円筒部１ａの開口部分，
１ｃは後述のネジキャップ本体３ａの内周面ネジ部と螺合する外周面ネジ部，
１ｄは後述のネジキャップ３の内側係止凸部３ｆと係合する外側係止凸部，
２は鞘状の仮キャップ，
２ａは首状円筒部１ａの開口部分を覆ってカバーする天井部，
２ｂは天井部２ａの縁部分から下方にネジ結合部なしの状態で形成されて外周面ネジ部１ｃを保護する円筒状部，
２ｃは円筒状部２ｂの下端部内周面に形成されて、外周面ネジ部１ｃとの係止作用により、上方向に取り外し可能な形で保持される内側環凸状の被係止部， 
２ｄは円筒状部２ｂの下端側に外向き態様で形成されたキャップ取外し操作用の舌状摘み部，
をそれぞれ示している。
【００２４】
また、
３はタンパーエビデント機能を備えたネジキャップ，
３ａはネジキャップ３の上側部分であって、その内周面ネジ部が、首状円筒部１ａの外周面ネジ部１ｃと螺合する鞘状のネジキャップ本体，
３ｂはネジキャップ本体３ａの下端に設けられた計六個の上側係合凸部，
３ｃはネジキャップ３の下端側部分からなる下端側リング状部分，
３ｄはネジキャップ３が首状円筒部１ａと螺合するときに上側係合凸部３ｂと互いの側面同士が当接する下側係合凸部，
３ｅはネジキャップ本体３ａの下端と下端側リング状部分３ｃの上面とを連結する計四個の連結片，
３ｆは下端側リング状部分３ｃの内周面に設けられて外側係止凸部１ｄと係合する計二十個の内側係止凸部，
をそれぞれ示している。
【００２５】
ここで、容器本体１、仮キャップ２およびネジキャップ３はポリプロピレン，ポリエチレン，ポリアセタール，ナイロン，ポリブチレンテレフタレートなどからなるプラスチック製のものである。
【００２６】
図１において、仮キャップ２は、薄板状の樹脂を真空成型したのち周囲を切り離して製造される。多種多様な開口部分１ｂの形状にあわせて仮キャップ２を製造する必要があるが、真空成型を利用しているのでそれぞれの型の費用を低く抑えることができる。
【００２７】
図２において、容器本体１の内容物出し入れ用の首状円筒部１ａに仮キャップ２をセットした梱包状態のものが、容器本体１の製造業者から出荷される。仮キャップ２が透明であれば、装着した容器本体１の内部を仮キャップから確認することができる。
【００２８】
仮キャップ２は開口部分１ｂの先端周囲や外周面ネジ部１ｃを保護しているので、内容物充填収容の際に汚れが混入したり、開口部分１ｂが傷ついて密閉度を損なったり、また、外周面ネジ部１ｃが傷ついてネジキャップとの正常な螺合を妨げることなどが生じない。
【００２９】
図３において、充填業者は、運送され梱包から取り出した容器本体１の仮キャップ２を取り外し、その内容物出し入れ用の首状円筒部１ａから容器本体１に内容物を充填収容する。
【００３０】
ここで、仮キャップ２と内容物出し入れ用の首状円筒部１ａとはその被係止部２ｃが外周面ネジ部１ｃの下端に係止しているだけなので、仮キャップ２は、これを上方に引き上げることにより被係止部２ｃが外周面ネジ部１ｃを乗り越えて首状円筒部１ａから容易に外れる。
【００３１】
内容物出し入れ用の首状円筒部１ａから取り外した仮キャップ２は、集積して容器本体１の製造業者に渡すことにより再利用される。
【００３２】
仮キャップ２を取り外した状態の容器本体１にその内容物出し入れ用の首状円筒部１ａから内容物を充填収容した後、当該首状円筒部にネジキャップ３を螺合させる。
【００３３】
ネジキャップ３のネジキャップ本体３ａを螺合方向に回動させると、その回動力は上側係合凸部３ｂからこれに当接する下側係合凸部３ｄに伝わり、下端側リング状部分３ｃも一緒に回動する。
【００３４】
螺合の最終段階において、下端側リング状部分の内側係止凸部３ｆが外側係止凸部１ｄに係合する。
【００３５】
外側係止凸部１ｄおよび内側係止凸部３ｆは、それぞれの断面が鋸歯形状の凸部からなっており、ネジキャップ３の内周面ネジ部分が容器本体１の外周面ネジ部１ｃと螺合する際に互いに乗り越えるラチェット態様で設けられている。
【００３６】
利用者がネジキャップ３を取り外す際には、ネジキャップ本体３ａを左回転する。
このとき、下端側リング状部分は、その内側係止凸部３ｆと容器本体１の外側係止凸部１ｄとの係止作用によって回動しないため、その連結片３ｅが切断し、ネジキャップ本体３ａのみが回動して、内容物出し入れ用の首状円筒部１ａより取り外される。
【００３７】
なお、ネジキャップ本体３ａの上側係合凸部３ｂと下端側リング状部分の下側係合凸部３ｄとは斜面となっていて、当接したときにお互いが乗り越えるため、回動力はネジキャップ本体３ａから下端側リング状部分には伝わらない。
【００３８】
その後、下端側リング状部分を上方に持ち上げて内容物出し入れ用の首状円筒部１ａから取り外す。取り外した下端側リング状部分は不要なので破棄してよい。
【００３９】
利用者が容器本体１の開口部分１ｂを閉じる場合には、内容物出し入れ用の首状円筒部１ａからいったん取り外したネジキャップ本体３ａのみを再度当該首状円筒部に取り付ける、すなわち螺合させればよい。
【００４０】
本考案が以上の実施形態に限定されないことは勿論であり例えば、
(21)被係止部２ｃに代えて、円筒状部２ｂの内周面単一周方向に円弧状凸部を一つまたは複数設ける、
(22)被係止部２ｃに代えて内側環状凹部を形成し、これに、外周面ネジ部１ｃの山部分を係止させる、
(23)円筒状部２ｂに代えて、任意の横断面形状の筒状部を用いる、
(24)舌状摘み部２ｄを天井部２ａに形成し、また、複数個所に設ける、
(25)仮キャップ２の頂壁の内側にスポンジなどの弾性部材を設ける、
ようにしてもよい。
【符号の説明】
【００４１】
１：容器本体
１ａ：内容物出し入れ用の首状円筒部
１ｂ：開口部分
１ｃ：外周面ネジ部
１ｄ：外側係止凸部
２：仮キャップ
２ａ：天井部
２ｂ：円筒状部
２ｃ：被係止部
２ｄ：舌状摘み部
３：ネジキャップ
３ａ：ネジキャップ本体
３ｂ：上側係合凸部
３ｃ：下端側リング状部分
３ｄ：下側係合凸部
３ｅ：連結片
３ｆ：内側係止凸部
【図１】
0003200427.tif 000003
【図２】
0003200427.tif 000004
【図３】
0003200427.tif 000005